(57)【要約】【課題】侵入防止に適応可能な雨樋を提供する。【解決手段】取付部材４は雨樋本体２と壁面５との間に固定部６を有し、この固定部６の先端側に雨樋本体２を取り付けると共に、固定部６の基端を壁面５に固定する。雨樋本体２の長さ方向に長く形成されると共に該雨樋本体２と壁面５との隙間３を塞ぐ登攀防止カバー３１を備え、登攀防止カバー３１の先端側を雨樋本体２のバンド部１３の外面側に配置すると共に、登攀防止カバー３１の基端側を固定部６の基端側に当接し、カバー取付手段４１により登攀防止カバー３１を隙間３に取り付けたから、雨樋本体２と壁面５との間が登攀防止カバー３１により塞がれるため、雨樋１を用いてよじ登ることを防止できる。【選択図】図１
2019056242.tif 000002
【特許請求の範囲】
【請求項１】
筒状の雨樋本体と、前記雨樋本体を取付箇所に取り付ける取付部材とを備え、前記取付部材は前記雨樋本体と前記取付箇所との間に固定部を有し、この固定部の先端側に前記雨樋本体を取り付けると共に、前記固定部の基端を前記取付箇所に固定した雨樋において、
前記雨樋本体の長さ方向に長く形成されると共に該雨樋本体と前記取付箇所との隙間を塞ぐ登攀防止部材を備え、
前記登攀防止部材の先端側を前記雨樋本体の外面側に配置すると共に、前記登攀防止部材の基端側を前記固定部の基端側に当接し、取付手段により前記登攀防止部材を取り付けたことを特徴とする雨樋。
【請求項２】
前記登攀防止部材は孔を有し、前記孔に前記取付手段を挿通すると共に、この取付手段を前記登攀防止部材に係止し、前記取付手段の係合部を前記固定部の上方に配置したことを特徴とする請求項１記載の雨樋。
【請求項３】
前記固定部の基端側には前記雨樋本体より左右幅狭な幅狭部が設けられ、この幅狭部に前記登攀防止部材の基端側を当接し、前記登攀防止部材は基端側から先端側に向かって左右外側向きに配置されていることを特徴とする請求項１又は２記載の雨樋。
【請求項４】
前記雨樋本体は断面が円筒状をなし、前記登攀防止部材の先端が前記雨樋本体側の外面基端側に当接することを特徴とする請求項３記載の雨樋。
【請求項５】
左右の前記登攀防止部材を備え、前記取付手段は、前記左右の登攀防止部材の前記孔を挿通する螺子手段であり、この螺子手段により前記左右の登攀防止部材を近付けるように取り付けたことを特徴とする請求項３又は４記載の雨樋。
【請求項６】
前記取付手段は、平行に配置された一対の横杆と、これら横杆の基端を連結する縦杆を一体に備え、前記一対の横杆により前記固定部の上下を挟んでそれら一対の横杆を前記左右の登攀防止部材の前記孔に挿通し、前記縦杆を一方の登攀防止部材に係止する共に、他方の登攀防止部材の前記孔を挿通した横杆の先端側にナットを螺合したことを特徴とする請求項５記載の雨樋。
【請求項７】
前記登攀防止部材は多孔板からなる登攀防止カバーであり、この登攀防止カバーの先端縁は平坦に形成され、前記登攀防止カバーの基端には内面に折り曲げられた折曲部が形成されていることを特徴とする請求項１〜６のいずれか１項に記載の雨樋。
【発明の詳細な説明】
【技術分野】
【０００１】
本発明は雨樋に関する。
【背景技術】
【０００２】
従来の雨水排水用雨樋は、材質に係らず、建物及び構造物に取付設置する場合、単独の取付金具を上下に間隔を置いて施工している（例えば特許文献１及び２）。
【０００３】
近年の気象変動により、大雪、ゲリラ豪雨、竜巻、突風及び大型台風などによる自然災害が頻発しており、建物の屋根材、外壁材、外装材、看板などが設計強度を超えた自然災害を受けると、被害が発生する虞がある。
【０００４】
そこで、強度基準が見直され、強度基準の改定が行われており、その結果、雨樋の取付金具も強度が増加し、自然災害が発生しても簡単に破損しない製品が開発されている。
【０００５】
ところが、自然災害による被害が減少している一方で、悪意を持った人による雨樋へのよじ登り侵入犯罪の増加が懸念される。
【０００６】
雨樋の取付金具も、より強度のあるものを使用するため、よじ登っても壊れなくなり、折からのスポーツクライミングやボルダリングブームもあり、建物の上階へ次から次へよじ登り、部外者がベランダや窓から侵入する虞が増加している。
【０００７】
そこで、上述した問題を考慮して、壁取り付け部と縦樋保持部との間の部分に忍び返しを設けたもの（例えば特許文献３）や、帯状金属板に複数の針状金属を突設したもの（例えば特許文献４）や、樋に取り付けられるベース部材と、このベース部材に突設された突起を有するもの（例えば特許文献５）や、バンド部の外方に突出した尖鋭突起部を有するもの（例えば特許文献６）や、帯状の輪の表面に突起物を設けたもの（例えば特許文献７）や、上・下部装着固定具の間に複数の有刺鉄線を縦設したもの（例えば特許文献８）や、スカート状に形成された筒体の表面に、複数の突起体を放射状に配設したもの（例えば特許文献９）や、帯状体に複数の刃を設けたもの（例えば特許文献１０）などの多数の突起を有するものが提案されている。
【先行技術文献】
【特許文献】
【０００８】
【特許文献１】実開平５−１６９５８号公報
【特許文献２】特開２００９−１０２８１０号公報
【特許文献３】特開２００５−２９９３２７号公報
【特許文献４】実用新案登録第３０３８２８４号公報
【特許文献５】特開２００３−２１７０４１号公報
【特許文献６】特開２００５−１３９７２３号公報
【特許文献７】特開２００９−２１３２号公報
【特許文献８】特開２００９−１６１９６９号公報
【特許文献９】特開２００９−２６４０３５号公報
【特許文献１０】特開２００１２−８７５６８号公報
【発明の開示】
【発明が解決しようとする課題】
【０００９】
しかし、特許文献３〜１０では、いずれも鋭利な突起により侵入を抑制するものであるため、鋭利な切断面を取る加工はしておらず、製品の扱いについては、商品開梱時や施工・その他お取扱いの際に、必ず保護手袋の使用を求めるなどの注意を促しているが、設置状態で複数の突起類が露出して表れ、その突起類により人が生理的及び心理的に嫌悪感を抱くと共に、建物全体の意匠性を損なうという問題がある。
【００１０】
そこで、本発明では、上記の問題点を考慮して、突起を用いることなく、侵入防止に適応可能な雨樋を提供することを目的とする。
【課題を解決するための手段】
【００１１】
請求項１の発明は、筒状の雨樋本体と、前記雨樋本体を取付箇所に取り付ける取付部材とを備え、前記取付部材は前記雨樋本体と前記取付箇所との間に固定部を有し、この固定部の先端側に前記雨樋本体を取り付けると共に、前記固定部の基端を前記取付箇所に固定した雨樋において、前記雨樋本体の長さ方向に長く形成されると共に該雨樋本体と前記取付箇所との隙間を塞ぐ登攀防止部材を備え、前記登攀防止部材の先端側を前記雨樋本体の外面側に配置すると共に、前記登攀防止部材の基端側を前記固定部の基端側に当接し、取付手段により前記登攀防止部材を取り付けたことを特徴とする。
【００１２】
請求項２の発明は、前記登攀防止部材は孔を有し、前記孔に前記取付手段を挿通すると共に、この取付手段を前記登攀防止部材に係止し、前記取付手段の係合部を前記固定部の上方に配置したことを特徴とする。
【００１３】
請求項３の発明は、前記固定部の基端側には前記雨樋本体より左右幅狭な幅狭部が設けられ、この幅狭部に前記登攀防止部材の基端側を当接し、前記登攀防止部材は基端側から先端側に向かって左右外側向きに配置されていることを特徴とする。
【００１４】
請求項４の発明は、前記雨樋本体は断面が円筒状をなし、前記登攀防止部材の先端が前記雨樋本体側の外面基端側に当接することを特徴とする。
【００１５】
請求項５の発明は、左右の前記登攀防止部材を備え、前記取付手段は、前記左右の登攀防止部材の前記孔を挿通する螺子手段であり、この螺子手段により前記左右の登攀防止部材を近付けるように取り付けたことを特徴とする。
【００１６】
請求項６の発明は、前記取付手段は、平行に配置された一対の横杆と、これら横杆の基端を連結する縦杆を一体に備え、前記一対の横杆により前記固定部の上下を挟んでそれら一対の横杆を前記左右の登攀防止部材の前記孔に挿通し、前記縦杆を一方の登攀防止部材に係止する共に、他方の登攀防止部材の前記孔を挿通した横杆の先端側にナットを螺合したことを特徴とする。
【００１７】
請求項７の発明は、前記登攀防止部材は多孔板からなる登攀防止カバーであり、この登攀防止カバーの先端縁は平坦に形成され、前記登攀防止カバーの基端には内面に折り曲げられた折曲部が形成されていることを特徴とする。
【発明の効果】
【００１８】
請求項１の構成によれば、取付手段により前記登攀防止部材を取り付けることにより、雨樋本体と取付箇所との間が登攀防止部材により塞がれるため、雨樋を用いてよじ登ることを防止できる。
【００１９】
請求項２の構成によれば、登攀防止部材の孔に挿通した取付部材により、登攀防止部材を固定部に取り付けることができる。
【００２０】
請求項３の構成によれば、登攀防止部材を斜めに配置したことにより、取付部材により取り付けた登攀防止部材の先端側へのずれを防止できる。また、先端側から登攀防止部材が隠れる又は目立たないため、意匠性も向上する。
【００２１】
請求項４の構成によれば、登攀防止部材の先端側が雨樋本体の外面から離れて出っ張ることがない。
【００２２】
請求項５の構成によれば、左右の登攀防止部材を近付けるように取り付けることにより、登攀防止部材の先端側への移動を防止し、確実な取付構造が得られる。
【００２３】
請求項６の構成によれば、一対の横管が固定部の上下を挟むため、登攀防止部材の上下のずれが防止される。また、縦杆を上下方向に配置するため、足を掛ける部分が出っ張らない。
【００２４】
請求項７の構成によれば、多数の孔を有するため、風の影響を受け難く、しかも軽量になる。また、先端縁に凹凸がなく、さらに、折曲部により強度を向上することができる。
【図面の簡単な説明】
【００２５】
【図１】本発明の実施例１を示す平面図である。
【図２】同上、分解斜視図である。
【図３】同上、雨樋の斜視図である。
【図４】同上、取付部材による引張力を説明する平面図である。
【図５】本発明の実施例２を示す平面図である。
【図６】本発明の実施例３を示す平面図である。
【図７】同上、雨樋本体の平面図である。
【発明を実施するための最良の形態】
【００２６】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な雨樋を採用することにより、従来にない雨樋が得られ、その雨樋について記述する。
【実施例１】
【００２７】
以下、本発明の雨樋について添付図面を参照して説明する。図１〜図４は、本発明の実施例１を示し、同図に示すように、雨樋１は、雨樋本体２が取付部材４により取付箇所たる建築物の壁面５に固定され、固定状態で壁面５と前記雨樋本体２の間には隙間３が形成される。尚、この例では前記雨樋本体２の断面形状は円形である。また、雨樋本体２は、アルミニウム又はアルミニウム合金製が例示されるが、材質に係らず押出し成型機や曲げ成型機などによる押出し成型や曲げ加工などにより形成され、図に示す断面形状が長さ方向全長に連続して形成され、以下の実施例の取付部材４も断わりのない場合、同一断面形状が長さ方向に連続する。
【００２８】
前記取付部材４は、前記壁面５に固定される固定部６と、円形の雨樋本体２に外装するバンド体７を備え、雨樋本体２の長さ方向に一定幅を有する。前記バンド体７は、雨樋本体２の長さ方向に対して所定幅を有し、該バンド体７の後端（基端）には前後方向の左右の接続部１１，１１が設けられ、これら左右の接続部１１，１１は前記固定部６の一部を構成している。また、バンド体７の前側（先端側）の周方向中央にはヒンジ部１２が設けられ、このヒンジ部１２を中心にバンド体７が左右のバンド部１３，１３に分割されていると共に、これら左右のバンド部１３，１３が前記ヒンジ部１２により回動可能に連結されている。また、前記接続部１１，１１には、前後に透孔１４，１４が穿設されている。尚、接続部１１とヒンジ部１２を除いてバンド部１３には、その幅方向中央に外側に湾曲状に膨出した膨出部１５が形成されている。
【００２９】
前記固定部６は、前記壁面５に固定する平板状の固定本体２１と、この固定本体２１の左右方向中央から前方に突設された平板状の固定中央片２２とを一体に備え、また、別体で前記接続部１１，１１を備え、前記固定中央片２２には、前記前後の透孔１４，１４に対応して、前後方向に長い長孔２３，２３が穿設されている。さらに、前記固定本体２１の左右には固定用の透孔２４，２４を穿設し、これら透孔２４，２４に、取付箇所への固定手段であるアンカーボルト２５，２５を挿通し、このアンカーボルト２５，２５を壁面５に埋設固定し、これにより固定部６を壁面５に固定している。
【００３０】
次に、前記雨樋本体２の固定方向について説明する。壁面５の高さ方向に所定間隔で固定本体２１を固定し、雨樋本体２にバンド体７を外装すると共に、固定中央片２２を左右の接続部１１，１１により挟み、この状態で透孔１４と長孔２３と透孔１４に、ボルト２６を挿通し、このボルト２６にナット２７を螺合する。これによりバンド部１３，１３が雨樋本体２を締め付けると共に、固定部６にバンド体７を用いて雨樋本体２を取付けることができる。尚、ナット２７を締め付ける前に長孔２３により雨樋本体２の前後位置（先端基端方向の位置）を調整することができる。そして、ボルト２６とナット２７により締付手段を構成している。
【００３１】
以下、登攀防止部材について説明する。登攀防止部材たる登攀防止カバー３１は、多孔板たるエキスパンドメタルなどの板材からなり、複数の透孔３２，３２・・・が穿設され、雨樋本体２の長さ方向に長く形成されている。前記登攀防止カバー３１の先端縁３１Ｆには透孔３２が形成されておらず、先端縁３１Ｆは真っ直ぐ平坦に形成されている。従って、先端縁３１Ｆに先鋭な部分はない。また、登攀防止カバー３１の長さ方向の端縁３１Ｔ，３１Ｔにも透孔３２は形成されておらず、真っ直ぐ平坦に形成されている。尚、この場合の長さ方向の端縁３１Ｔ，３１Ｔは上端縁と下端縁である。また、登攀防止カバー３１の材質は金属製に限らず、合成樹脂製や木製でもよい。
【００３２】
前記登攀防止カバー３１の後縁側は、折曲箇所３３により内側に折り曲げられており、前記壁面５と略平行をなす折曲部たる当接部３４が形成され、折曲箇所３３の角度は、以下に説明するように登攀防止カバー３１が前後方向に対して斜めになるように、９０度を超えるものであり、９５度〜１３５度、好ましくは１００〜１２０度程度である。尚、登攀防止カバー３１の後端縁には透孔３２が形成されていてもよいし、当接部３４は風の影響を考慮する必要がないため、当接部３４には透孔３２が無くてもよい。そして、折曲箇所３３を形成することにより、平板状の場合に比べて強度を向上することができる。また、固定部６や壁面５の形状により前記折曲箇所３３の角度は適宜選定することができる。
【００３３】
また、図２に示すように、左右両側の登攀防止カバー３１，３１の先端縁３１Ｆ，３１Ｆを、雨樋本体２側の最大直径部分ある膨出部１５の左右より後方（基端側）で該膨出部１５に当接する。また、好ましくは、膨出部１５に対する登攀防止カバー３１の内面の接線において、接点より壁面５側（後側）で先端縁３１Ｆが膨出部１５に当接するように構成する。この例では、雨樋本体２の中心と先端縁３１Ｆとを結ぶ仮想線と、登攀防止カバー３１とのなす角度θが９０度であり、この位置を含んだ該位置より基端側で先端縁３１Ｆが膨出部１５に当接する。このように基端側で先端縁３１Ｆが膨出部１５に当接し、且つ前後方向に対して斜めになるように登攀防止カバー３１が配置される。
【００３４】
そして、左右の登攀防止カバー３１，３１の当接部３４，３４は固定中央片２２の基端部２２Ｋを左右から挟んで、固定本体２１の外面に当接するように、前後に対して、左右の登攀防止カバー３１は、間隔が前側から後側に向かって狭くなるように斜めに配置される。このように先端縁３１Ｆの位置を設定することにより、登攀防止カバー３１の先端縁３１Ｆ側がバンド体７から離れて突出せず、先端縁３１Ｆの角が表れず、外観意匠性にも優れる。また、この例では前記固定中央片２２の基端部２２Ｋが前記雨樋本体２より左右幅狭な幅狭部である。
【００３５】
左右の登攀防止カバー３１を雨樋１に取り付けるための締付取付手段たるカバー取付手段４１を備える。このカバー取付手段４１はコ字形ボルト４２を備え、このコ字形ボルト４２は、平行に配置された一対の螺子杆４３，４３と、これら螺子杆４３，４３と基端を連結する連結杆４４を一体に備え、この連結杆４４と螺子杆４３，４３とが交差方向に設けられて略コ字形をなし、それら螺子杆４３，４３の先端に雄螺子部４３Ａ，４３Ａが形成されている。尚、使用時の向きにより、前記螺子杆４３が横杆であり、前記連結杆４４が縦杆であり、上側の螺子棒４３が取付手段の係合部である。
【００３６】
コ字形ボルト４２は金属製の丸棒をコ字形に屈曲し、端部に雄螺子部４３Ａを形成することにより製造することができる。また、一対の螺子杆４３，４３は、前記複数の透孔３２，３２に挿通可能に構成されている。さらに、一対の螺子杆４３，４３の間隔は、前記接続部１１及び固定中央片２２の上下方向の幅より広く、一対の螺子杆４３，４３に、縦向きの接続部１１及び固定中央片２２を挿入することができる。尚、固定部６の幅に対応した透孔３２，３２の間隔を有するエキスパンドメタルを用いる。
【００３７】
また、カバー取付手段４１は、更に、平板状の押えプレート４５と、前記雄螺子部４３Ａに螺合するナット４６とを備え、前記押えプレート４５は、前記連結杆４４の長さ方向に長く形成され、その長さ方向両側に前記螺子杆４３，４３を挿通する透孔４５Ｔ，４５Ｔが穿設されている。
【００３８】
次に、前記登攀防止カバー３１の取付方法について説明する。既設の雨樋１及び新設の雨樋１の両者に登攀防止カバー３１は取付可能であり、固定部６により取り付けられた雨樋本体２に対して、左右両側から固定部６を挟むように、略図１に示すように左右の登攀防止カバー３１，３１を配置する。この後、左右一方の登攀防止カバー３１の外側から、その透孔３２，３２に、縦向き（雨樋本体２の長さ方向）にしたコ字形ボルト４２の螺子杆４３，４３を挿通し、その上下の螺子杆４３，４３を固定部６の上下を通して左右他方の登攀防止カバー３１の透孔３２，３２に挿通し、外側に突出した雄螺子部４３Ａ，４３Ａを押えプレート４５の透孔４５Ｔ，４５Ｔに挿通し、雄螺子部４３Ａ，４３Ａにナット４６，４６を螺合し、左右の登攀防止カバー３１，３１を近付けるように締め付ける。尚、コ字形ボルト４２が縦向きとは、連結杆４４を上下方向（雨樋本体２の長さ方向）に沿うように配置することである。
【００３９】
そして、ナット４６を締め付けることにより、一方の登攀防止カバー３１の外面に連結杆４４が圧接し、他方の登攀防止カバー３１の外面に押えプレート４５が面接触状体で圧接し、先端側において登攀防止カバー３１の先端縁３１Ｆがバンド体７に当接し、基端側において登攀防止カバー３１の当接部３４が固定部６の固定中央片２２の外面に当接し、確実な取付状態が得られる。また、この取付状態で、コ字形ボルト４２の上側の螺子杆４３が固定部６の上に位置して係止するから、左右の登攀防止カバー３１，３１を上下位置決め状態で固定することができる。尚、コ字形ボルト４２を、左右方向の向きに配置すると共に、登攀防止カバー３１の前後方向において略中央側に配置する。
【００４０】
また、登攀防止カバー３１の長さは例えば４ｍ程度であり、図３に示すように、隣り合う固定部６，６の間などの固定部６の無い位置で左右の登攀防止カバー３１をカバー取付手段４１により連結してもよい。
【００４１】
図３に示す雨樋１は、複数の雨樋本体２を上下方向に連結し、途中には雨樋本体２に分岐管５１を設けたＴ字形雨樋本体５２が設けられており、雨樋１の下部側の雨樋本体２に前記登攀防止カバー３１を設け、この例では、Ｔ字形雨樋本体５２に接続する雨樋本体２に登攀防止カバー３１を設け、登攀防止カバー３１の長さは４ｍ程度である。また、上部の雨樋本体２には、雨水が流入する流入管５３が接続されている。さらに、雨樋本体２の下部には、差し口たる径小な挿入部５４を設け、この挿入部５４を下部の雨樋本体２内に挿入接続している。
【００４２】
図３に示したように、雨樋１の下部に登攀防止カバー３１を設ける例では設置面８からの登攀防止カバー３１の上端の高さを３ｍ以上とすることが好ましく、設置面８からの登攀防止カバー３１の下端の高さは１ｍ以下でもよく、この場合は登攀防止カバー３１の長さは２ｍ以上で良く、また、雨樋１の下部でも、中間でも、登攀防止カバー３１が３ｍ以上あれば、より確実な登攀防止効果が得られる。
【００４３】
図４は登攀防止カバー３１を斜めに配置した効果を説明する図面であり、コ字形ボルト４２を締め付けることにより、登攀防止カバー３１には螺子杆４３の長さ方向で左右方向中央向きの力Ｆが加わる。図４（Ａ）に示すように、前記力Ｆは、登攀防止カバー３１に直交する分力Ｆ１とこの分力に直交する分力Ｆ２に分解され、登攀防止カバー３１を先端側に引っ張る引張力ＦＳに対して、前記分力Ｆ２が対抗することにより、確実な取付構造が得られる。尚、図４（Ｂ）に示すように、登攀防止カバー３１を固定中央片２２と平行に配置すると、前記引張力ＦＳに対抗する前記分力Ｆ２は得られない。
【００４４】
また、本実施例では、左右両側に登攀防止カバー３１，３１を基端側より先端側が広がるように斜めに配置しているから、先端側に移動するには、登攀防止カバー３１，３１の先端間が開かないと先端側に移動することができず、中間に設けたカバー取付手段４１により登攀防止カバー３１，３１の間隔が拘束されることにより、登攀防止カバー３１，３１の先端側への移動が確実に防止される。
【００４５】
このように本実施例では、請求項１に対応して、筒状の雨樋本体２と、雨樋本体２を取付箇所たる壁面５に取り付ける取付部材４とを備え、取付部材４は雨樋本体２と取付箇所たる壁面５との間に固定部６を有し、この固定部６の先端側に雨樋本体２を取り付けると共に、固定部６の基端を壁面５に固定した雨樋１において、雨樋本体２の長さ方向に長く形成されると共に該雨樋本体２と壁面５との隙間３を塞ぐ登攀防止部材たる登攀防止カバー３１を備え、登攀防止カバー３１の先端側を雨樋本体２のバンド部１３の外面側に配置すると共に、登攀防止カバー３１の基端側を固定部６の基端側に当接し、取付手段たるカバー取付手段４１により登攀防止カバー３１を隙間３に取り付けたから、カバー取付手段４１により登攀防止カバー３１を取り付けることにより、雨樋本体２と壁面５との間が登攀防止カバー３１により塞がれるため、雨樋１を用いてよじ登ることを防止できる。
【００４６】
このように本実施例では、請求項２に対応して、登攀防止部材たる登攀防止カバー３１は孔たる透孔３２を有し、透孔３２に取付手段たるカバー取付手段４１の螺子杆４３を挿通すると共に、このカバー取付手段４１の係合部たる上側の螺子杆４３を登攀防止カバー３１に係止し、カバー取付手段４１を固定部６に係止したから、登攀防止カバー３１の透孔３２に挿通したカバー取付手段４１により、登攀防止カバー３１を固定部６に取り付けることができる。
【００４７】
このように本実施例では、請求項３に対応して、固定部６の基端側には雨樋本体２より左右幅狭な幅狭部たる基端部２２Ｋが設けられ、この基端部２２Ｋに登攀防止部材たる登攀防止カバー３１の基端側を当接し、登攀防止カバー３１は基端側から先端側に向かって左右外側向きに配置されているから、登攀防止カバー３１を斜めに配置したことにより、カバー取付手段４１により取り付けた登攀防止カバー３１の先端側へのずれを防止できる。また、先端側から登攀防止カバー３１が隠れる又は目立たなくなるため、意匠性も向上する。
【００４８】
このように本実施例では、請求項４に対応して、雨樋本体２は断面が円筒状をなし、登攀防止部材たる登攀防止カバー３１の先端たる先端縁３１Ｆが雨樋本体２側の外面基端側に当接するから、登攀防止カバー３１の先端側が雨樋本体２の外面から離れて出っ張ることがない。
【００４９】
このように本実施例では、請求項５に対応して、左右の登攀防止部材たる登攀防止カバー３１，３１を備え、取付手段たるカバー取付手段４１は、左右の登攀防止カバー３１，３１の孔たる透孔３２を挿通する螺子手段たるコ字形ボルト４２であり、このコ字形ボルト４２により前記左右の登攀防止カバー３１，３１を近付けるように取り付けたから、登攀防止カバー３１の先端側への移動を防止し、確実な取付構造が得られる。
【００５０】
このように本実施例では、請求項６に対応して、取付手段たるカバー取付手段４１は、平行に配置された一対の横杆たる螺子杆４３，４３と、これら螺子杆４３，４３の基端を連結する縦杆たる連結杆４４を一体に備え、一対の螺子杆４３，４３により固定部６の上下を挟んでそれら一対の螺子杆４３，４３を左右の登攀防止カバー３１，３１の透孔３２，３２，３２，３２に挿通し、連結杆４４を一方の登攀防止カバー３１に係止する共に、他方の登攀防止カバー３１の透孔３２を挿通した螺子杆４３，４３の先端側にナット４６を螺合したから、一対の螺子杆４３，４３が固定部６の上下を挟むため、登攀防止カバー３１の上下のずれが防止される。また、連結杆４４を上下方向に配置するため、足を掛ける部分が出っ張らない。尚、Ｕ字形ボルトでは足を掛ける部分が出っ張る懸念がある。
【００５１】
このように本実施例では、請求項７に対応して、登攀防止部材は多孔板からなる登攀防止カバー３１であり、登攀防止カバー３１の先端縁３１Ｆは平坦に形成され、登攀防止カバー３１の基端には内面に折り曲げられた折曲部たる当接部３４が形成されているから、多数の孔たる透孔３２を有するため、風の影響を受け難く、しかも軽量になる。また、先端縁３１Ｆに凹凸がなく、さらに、当接部３４により強度を向上することができる。
【００５２】
以下、実施例上の効果として、押えプレート４５に螺子杆４３，４３を挿通することにより、押えプレート４５の内面が登攀防止カバー３１の外面に面接触するため、安定した取付状態が得られる。また、登攀防止カバー３１にエキスパンドメタルを用い、多数の透孔３２，３２・・・を有するから、コ字形ボルト４２の取付位置の自由度が向上し、取付作業性が向上する。さらに、折曲箇所３３の角度を９５度〜１３５度とすることにより、効果的に引張力ＦＳに対抗することができる。即ち、９５度未満では、分力Ｆ２が小さく、１３５度を超えると、登攀防止カバー３１の前後幅が長くなり、材料費が嵩む。
【実施例２】
【００５３】
図５は本発明の実施例２を示し、上記実施例１と同一部分に同一符号を付し、その詳細な説明を省略して詳述する。この例では、登攀防止カバー３１を、雨樋本体２及び固定部６の左右一方に設けてなる。
【００５４】
このためコ字形ボルト４２は実施例１に比べて螺子杆４３が短いものを用い、コ字形ボルト４２の連結杆４４が固定部６の外面に係止し、この例では、連結杆４４は接続部１１の外面に係止している。また、逆に連結杆４４を登攀防止カバー３１の外面に係止し、押えプレート４５を固定部６に当接するようにしてもよい。
【００５５】
前記押えプレート４５は幅方向において、先端側から基端側に向かって厚くなるように形成され、押えプレート４５の内面４５Ｎが登攀防止カバー３１の向きに合わせて斜めに形成され、押えプレート４５の外面４５Ｇが雄螺子部４３Ａの長さ方向と略直交するように形成されている。従って、ナット４６を外面４５Ｇに面接触した状態で、締め付けることができる。
【００５６】
このように本実施例では、上記実施例１と同様な作用効果を奏し、また、この例では実施例１に比べて登攀防止カバー３１の使用量が半分で済む。
【実施例３】
【００５７】
図６及び図７は本発明の実施例３を示し、上記各実施例と同一部分に同一符号を付し、その詳細な説明を省略して詳述する。この例では、取付部材等の変形例を示し、雨樋１は、雨樋本体２の上下方向に沿って取付部たる取付レール６０を一体成形により設け、この取付レール６０に取付部材４Ａを連結し、この取付部材４Ａを取付箇所たる建築物の壁面５に固定することにより、この壁面５と間隔をおいて前記雨樋本体２が該壁面５に固定される。
【００５８】
この例では、前記取付部材４Ａは、雨樋本体２と取付箇所たる壁面５との間の固定部６Ａと前記取付レール６０とを備え、前記固定部６Ａの先端側に前記取付レール６０を介して雨樋本体２を取り付け、前記固定部６Ａの基端を前記壁面５に固定してる。また、前記固定部６Ａの基端部６Ｋが前記雨樋本体２より左右幅狭な幅狭部である。
【００５９】
前記取付レール６０は、雨樋本体２の外面から突出し、外側に向かって間隔が開く左右対称のレール体たる突片６１，６１を一体に備え、これら突片６１，６１の先端には、相互に近づくように内側に突出した先端縁部６２，６２が形成され、これら先端縁部６２，６２の先端は自由端であって、それら先端縁部６２，６２間の隙間により開口部６３が形成されている。
【００６０】
前記雨樋本体２は、該雨樋本体２の長さ方向に間隔を置いて配置した取付部材４Ａにより、前記壁面５に取り付けられている。前記固定部６Ａは、取付具本体６５の前側に、前記取付レール６０内に抜け止め状態で係入する径大係入部６６を有し、その取付具本体６５の基端側を固定手段たるアンカーボルト６７により前記壁面５に固定している。尚、前記径大係入部６６は取付レール６０の端面から該取付レール６０内に挿入され、長さ方向にスライドして所定位置で取付レール６０に位置固定できるものである。
【００６１】
また、登攀防止カバー３１は、その先端縁３１Ｆを雨樋本体２の外面に当接し、当接部３４を壁面５に当接している。また、左右の当接部３４，３４により取付具本体６５を挟み、前後方向に対して、登攀防止カバー３１を斜めに配置している。
【００６２】
このように本実施例では、筒状の雨樋本体２と、雨樋本体２を取付箇所たる壁面５に取り付ける取付部材４Ａとを備え、この取付部材４Ａは雨樋本体２と取付箇所たる壁面５との間に固定部６Ａを有し、この固定部６Ａの先端側に雨樋本体２を取り付けると共に、固定部６Ａの基端を壁面５に固定した雨樋１において、雨樋本体２の長さ方向に長く形成されると共に該雨樋本体２と壁面５との隙間３を塞ぐ登攀防止部材たる登攀防止カバー３１を備え、登攀防止カバー３１の先端側を雨樋本体２のバンド部１３の外面側に配置すると共に、登攀防止カバー３１の基端側を固定部６Ａの基端側に当接し、取付手段たるカバー取付手段４１により登攀防止カバー３１を隙間３に取り付け、また、固定部６Ａの基端側には雨樋本体２より左右幅狭な幅狭部たる基端部６Ｋが設けられており、上記実施例１と同様な作用効果を奏する。
【００６３】
また、この例のように、取付部材４Ａに連結される取付レール６０を有し、バンドのない取付部材４Ａを有する雨樋１に登攀防止カバー３１を用いることができる。
【００６４】
以上、本発明の実施例について詳述したが、本発明は前記各実施形態に限定されるものではなく、本発明の要旨の範囲内で種々の変形実施が可能である。例えば、実施例では、取付箇所として壁面を示したが、ベランダ等の下面を取付箇所としてもよく、この場合、取付部材の上側が基端、下側が先端となる。また、実施例では、エキスパンドメタルを用いて複数の透孔を有するものを示したが、平板に螺子杆を挿通する透孔（孔）を必要数穿設し、少なくとも透孔を固定部の上下に対応して穿設し、折り曲げ部により当接部を形成したものでもよい。さらに、登攀防止部材を雨樋本体の略全長に設けてもよい。また、１つの固定部に複数のコ字形ボルトを係止してもよく、この場合は前後に間隔を置いて複数のコ字形ボルトを配置すればよく、こうすれば取付強度が向上する。さらに、螺子杆を通す透孔は長孔や角孔でもよい。また、雨樋本体は、先行文献１のように取付レール（先行文献１の支持部）を挟持するタイプや、雨樋本体の外面に突出形成された取付溝で、固定部が連結されるものなど取付レールの形状は適宜選定可能である。さらに、コ字形ボルトを用いることが好ましいが、左右の登攀防止カバーにボルトを挿通し、ボルトの先端にナットを螺合し、そのボルトを取付部材の上に配置して係止するようにしてもよい。また、取付手段として、針金などを用いてもよい。さらに、取付箇所が下面の場合、横方向の雨樋本体の下が前（先端側）、上が後（基端側）となり、さらに、斜めの取付箇所に雨樋本体を取付けてもよい。
【符号の説明】
【００６５】
１  雨樋
２  雨樋本体
３  隙間
４，４Ａ  取付部材
５  壁面（取付箇所）
６，６Ａ  固定部
６Ｋ  基端部（幅広部）
２２Ｋ  基端部（幅狭部）
３１  登攀防止カバー（登攀防止部材）
３１Ｆ  先端縁
３２  透孔（孔）
３４  当接部（折曲部）
４１  カバー取付手段（取付手段）
４２  コ字形ボルト（螺子手段）
４３  螺子杆（横杆・係合部）
４４  連結杆（縦杆）
【図１】
2019056242.tif 000003
【図２】
2019056242.tif 000004
【図３】
2019056242.tif 000005
【図４】
2019056242.tif 000006
【図５】
2019056242.tif 000007
【図６】
2019056242.tif 000008
【図７】
2019056242.tif 000009